(57)【要約】【課題】衿先の曲面形状や持ち上げ角度を自在に変更して様々な型の衿先で着こなしを楽しむことが可能なシャツを提供する。【解決手段】衿先２の裏面で該衿先２の先端部から衿羽根３の折り返し部付近まで延びて開口するポケット９と、衿腰８の背面で前記衿羽根３を立てた状態にて前記ポケット９に対し一直線上に対峙するように延びて前記衿羽根３の折り返し部付近で開口するポケット１０と、破壊せずに塑性変形を持続し得る塑性変形能を有し且つ前記ポケット９及び前記ポケット１０に端部を夫々抜脱自在に挿し入れて衿先２から衿腰８へ亘る挿し板１１とを備えてシャツ１の衿部構造を構成する。【選択図】図１
2015030956.tif 000002
【特許請求の範囲】
【請求項１】
衿先の裏面で該衿先の先端部から衿羽根の折り返し部付近まで延びて開口する第一のポケットと、衿腰の背面で前記衿羽根を立てた状態にて前記第一のポケットに対し一直線上に対峙するように延びて前記衿羽根の折り返し部付近で開口する第二のポケットと、破壊せずに塑性変形を持続し得る塑性変形能を有し且つ前記第一のポケット及び前記第二のポケットに端部を夫々抜脱自在に挿し入れて衿先から衿腰へ亘る第一の挿し板とを備えたことを特徴とするシャツの衿部構造。
【請求項２】
衿羽根の幅方向中間位置における裏面で該衿羽根の外縁部から折り返し部付近まで延びて開口する第三のポケットと、衿腰の背面で前記衿羽根を立てた状態にて前記第三のポケットに対し一直線上に対峙するように延びて前記衿羽根の折り返し部付近で開口する第四のポケットと、破壊せずに塑性変形を持続し得る塑性変形能を有し且つ前記第三のポケット及び前記第四のポケットに端部を夫々抜脱自在に挿し入れて衿羽根の幅方向中間位置から衿腰へ亘る第二の挿し板とを備えたことを特徴とする請求項１に記載のシャツの衿部構造。
【発明の詳細な説明】
【技術分野】
【０００１】
本発明は、シャツの衿部構造に関するものである。
【背景技術】
【０００２】
一般的に、シャツは、洗濯後にアイロンがけをして皺のない状態で着用されるものであり、アイロンがけの効果が長く持続するようにする為に、通常は糊づけがなされる場合が多い。特に、図９に示す如く、シャツ１の衿先２は、ネクタイ等をしめて衿羽根３を折り返した後でも皺や折れ曲がりが生じないように、しっかりとした型をつけておくことが好ましく、このようにしておけば、見た目にも美しく、身なりが整った好印象を人に与えることができる。
【０００３】
ところが、シャツ１の衿先２に図示の如き立体的な美観の良い型をつけるには熟練された技術が必要であり、一般家庭における素人のアイロンがけでは、衿先２の皺をとって平坦に型をつけることはできても、立体的な美観の良い型をつけることは不可能であり、苦労してシャツ１の衿先２に型をつけても、通勤時の混雑等によって容易に型崩れしてしまうという不具合があった。
【０００４】
そこで、本発明と同じ出願人により下記の特許文献１が既に出願されており、この特許文献１においては、図１０に示す如く、シャツ１の衿先２の裏面に、衿羽根３の折り返し部４付近で挿入口５を開口して衿先２の先端部付近まで延びるポケット６を設け、該ポケット６内に、衿先２の形状を保持する為の曲面形状を付した挿し板７を抜脱可能に収納し、該挿し板７により衿先２に立体的な美観の良い型を簡単につけ且つその型を型崩れさせることなく持続できるようにしている。
【先行技術文献】
【特許文献】
【０００５】
【特許文献１】登録実用新案第３０３９８１１号公報
【発明の概要】
【発明が解決しようとする課題】
【０００６】
しかしながら、斯かる従来提案においては、予め挿し板７に付された曲面形状で衿先２を形づくることしかできず、しかも、衿先２の衿腰８に対する持ち上げ角度を調整することもできなかったため、ある決まった一つの型の衿先２でしか着こなしを楽しむことができなかった。
【０００７】
本発明は上述の実情に鑑みてなしたもので、衿先の曲面形状や持ち上げ角度を自在に変更して様々な型の衿先で着こなしを楽しむことが可能なシャツを提供することを目的としている。
【課題を解決するための手段】
【０００８】
本発明は、衿先の裏面で該衿先の先端部から衿羽根の折り返し部付近まで延びて開口する第一のポケットと、衿腰の背面で前記衿羽根を立てた状態にて前記第一のポケットに対し一直線上に対峙するように延びて前記衿羽根の折り返し部付近で開口する第二のポケットと、破壊せずに塑性変形を持続し得る塑性変形能を有し且つ前記第一のポケット及び前記第二のポケットに端部を夫々抜脱自在に挿し入れて衿先から衿腰へ亘る第一の挿し板とを備えたことを特徴とするシャツの衿部構造、に係るものである。
【０００９】
而して、このようにすれば、第一の挿し板の塑性変形能により、衿先を手で曲げ変形して好みの曲面形状に形づくることが可能となると共に、衿先を手で起こして好きな持ち上げ角度に調整することも可能となり、しかも、その変更した型を持続させて型崩れを防ぐことも可能となる。
【００１０】
一方、第一の挿し板は、その端部を第一のポケット及び第二のポケットから抜き出すことにより簡単に取り外すことが可能であるため、洗濯やアイロンがけを行う際には、第一の挿し板を取り外して衿先を柔軟な状態に戻してから行うことが可能であり、更には、シャツの衿先を柔軟な状態に戻してラフな着こなしを楽しみたい時にも、第一の挿し板を取り外して簡単に対応することが可能である。
【００１１】
また、本発明においては、衿羽根の幅方向中間位置における裏面で該衿羽根の外縁部から折り返し部付近まで延びて開口する第三のポケットと、衿腰の背面で前記衿羽根を立てた状態にて前記第三のポケットに対し一直線上に対峙するように延びて前記衿羽根の折り返し部付近で開口する第四のポケットと、破壊せずに塑性変形を持続し得る塑性変形能を有し且つ前記第三のポケット及び前記第四のポケットに端部を夫々抜脱自在に挿し入れて衿羽根の幅方向中間位置から衿腰へ亘る第二の挿し板とを備えることも可能であり、このようにすれば、第二の挿し板の塑性変形能により、衿羽根の幅方向中間位置だけを立てて衿先を寝かせたスタイル（後衿を立てたスタイル）を美観良く形づくり且つ持続させることが可能となる。
【００１２】
尚、第二の挿し板の場合においても、その端部を第三のポケット及び第四のポケットから抜き出すことにより簡単に取り外すことが可能であるため、洗濯やアイロンがけを行う際に、第二の挿し板を取り外して衿先を柔軟な状態に戻してから行うことが可能であり、更には、シャツの衿先を柔軟な状態に戻してラフな着こなしを楽しみたい時にも、第二の挿し板を取り外して簡単に対応することが可能である。
【発明の効果】
【００１３】
上記した本発明のシャツの衿部構造によれば、下記の如き種々の優れた効果を奏し得る。
【００１４】
（Ｉ）本発明の請求項１に記載の発明によれば、衿先を手で曲げ変形して好みの曲面形状に形づくることができる上に、衿先を手で起こして好きな持ち上げ角度に調整することもでき、しかも、その変更した型を持続させて型崩れを防ぐこともできるので、衿先の曲面形状や持ち上げ角度を自在に変更して様々な型の衿先で着こなしを楽しむことができる。
【００１５】
（ＩＩ）本発明の請求項２に記載の発明によれば、衿羽根の幅方向中間位置だけを立てて衿先を寝かせたスタイルを美観良く形づくり且つ持続させることができる。
【００１６】
（ＩＩＩ）本発明の請求項１、２に記載の発明によれば、洗濯やアイロンがけを行う際に第一の挿し板や第二の挿し板を取り外して衿先を柔軟な状態に戻してから行うことができ、シャツの衿先を柔軟な状態に戻してラフな着こなしを楽しみたい時にも、第一の挿し板や第二の挿し板を取り外して簡単に対応することができる。
【図面の簡単な説明】
【００１７】
【図１】本発明を実施する形態の一例を右側の衿部について示す斜視図である。
【図２】本発明を実施する形態の一例を左側の衿部について示す斜視図である。
【図３】衿先の裏面のポケットの詳細を示す衿羽根裏生地の展開図である。
【図４】図１及び図２における挿し板の単品図である。
【図５】衿先の曲面形状や持ち上げ角度を変更した状態を示す正面図である。
【図６】図２の衿腰側のポケットの変形例を示す斜視図である。
【図７】本発明の別の形態例を示す斜視図である。
【図８】後衿を立てたスタイルに変更した状態を示す正面図である。
【図９】従来のシャツの衿部構造の一例を示す正面図である。
【図１０】本発明と同じ出願人により提案されている別の従来例を示す正面図である。
【発明を実施するための形態】
【００１８】
以下本発明の実施の形態を図面を参照しつつ説明する。
【００１９】
図１〜図５は本発明を実施する形態の一例を示すもので、図９及び図１０と同一の符号を付した部分は同一物を表わしている。
【００２０】
図１及び図２に示す如く、本形態例のシャツ１の衿部構造は、衿先２の裏面で該衿先２の先端部から衿羽根３の折り返し部４付近まで延びて開口するポケット９（第一のポケット）と、衿腰８の背面で前記衿羽根３を立てた状態にて前記ポケット９に対し一直線上に対峙するように延びて前記衿羽根３の折り返し部４付近で開口するポケット１０（第二のポケット）と、破壊せずに塑性変形を持続し得る塑性変形能を有し且つ前記ポケット９及び前記ポケット１０に端部を夫々抜脱自在に挿し入れて衿先２から衿腰８へ亘る挿し板１１（第一の挿し板）とを備えて構成されるようになっており、図１はシャツ１の右側（下前側）の衿部について図示し、図２はシャツ１の左側（上前側）の衿部について図示している。
【００２１】
ここで、衿先２の裏面に作られるポケット９は、衿羽根３を構成する裏生地の段階で作ることが可能であり、図３に示す如く、衿羽根裏生地１２の両側の下端部に、縦に切れ目ｘを入れてから裏側へ折り返すことにより三角形状の開口部１３を形成し、その折り返し片１３ａを糊で仮止めした後、前記開口部１３を塞ぐように前記衿羽根裏生地１２と同じ生地の裏当生地１４を宛い、前記開口部１３の三角形の幅方向内側の斜辺に沿うようにステッチＡを入れ、該ステッチＡと平行に下方位置に別のステッチＢを入れることにより、前記衿羽根裏生地１２と裏当生地１４との間に袋状に前記ポケット９が縫製されるようになっており、該ポケット９が前記開口部１３に到る位置に前記挿し板１１の挿入口１５が開口されることになる。
【００２２】
尚、このようにして衿羽根裏生地１２へのポケット９の作製が完了したら、片面に芯地（図示せず）を貼着した衿羽根表生地（図示せず）と前記衿羽根裏生地１２とを前記芯地及び前記裏当生地１４が内側となるように閉じ合わせて地縫いすることにより衿羽根３が完成されることになる。
【００２３】
一方、衿腰８の背面に作られるポケット１０は、前記衿羽根３を取り付けた後で該衿羽根３側のステッチＡ，Ｂの延長線上に連続するように衿腰８側にステッチＡ’，Ｂ’を入れることにより、前記衿腰８の内部に縫い込まれている芯材と衿腰表生地との間に袋状にポケット１０が縫製されるようになっており、該ポケット１０における衿羽根３の折り返し部４に近い上端位置には、前記挿し板１１の下端部を挿し入れるための挿入口１６が開口されて穴かがりされている（図１及び図２参照）。
【００２４】
尚、一般的に衿腰８の上端には、衿羽根３を取り付けるためのステッチＣの直下に沿わせて飾りステッチＤが入れられるが、前記ポケット１０の範囲には、このような飾りステッチＤを入れないようにして前記ポケット１０の閉塞を回避している。
【００２５】
また、図４に示す如く、前記挿し板１１は、その両端部をポケット９及びポケット１０の底部を傷めないように角を落とした円弧形状としてあるが、ポケット９に挿し入れる側の端部については、衿先２の形状に合わせて先細りの形状を採用している。
【００２６】
而して、このようにすれば、図５に示すように、挿し板１１の塑性変形能により、衿先２を手で曲げ変形して好みの曲面形状に形づくることが可能となると共に、衿先２を手で起こして好きな持ち上げ角度に調整することも可能となり、しかも、その変更した型を持続させて型崩れを防ぐことも可能となる。
【００２７】
一方、挿し板１１は、その端部をポケット９及びポケット１０から抜き出すことにより簡単に取り外すことが可能であるため、洗濯やアイロンがけを行う際には、挿し板１１を取り外して衿先２を柔軟な状態に戻してから行うことが可能であり、更には、シャツ１の衿先２を柔軟な状態に戻してラフな着こなしを楽しみたい時にも、挿し板１１を取り外して簡単に対応することが可能である。
【００２８】
図６はポケット１０の変形例を示すもので、ここに図示している例では、衿腰８側に折り型で折った別生地１７をコバステッチＥで縫い付けてパッチポケット形式のポケット１０としており、その上端が挿し板１１の下端部を挿し入れるための挿入口１８として開口されている。尚、この図６の図示では、シャツ１の左側（上前側）の衿部についてのみ示されているが、シャツ１の右側（上前側）の衿部についても左右対称に同様の構造が採用されることは勿論である。
【００２９】
従って、上記形態例によれば、衿先２を手で曲げ変形して好みの曲面形状に形づくることができる上に、衿先２を手で起こして好きな持ち上げ角度に調整することもでき、しかも、その変更した型を持続させて型崩れを防ぐこともできるので、衿先２の曲面形状や持ち上げ角度を自在に変更して様々な型の衿先２で着こなしを楽しむことができる。
【００３０】
更に、洗濯やアイロンがけを行う際に挿し板１１を取り外して衿先２を柔軟な状態に戻してから行うことができ、シャツ１の衿先２を柔軟な状態に戻してラフな着こなしを楽しみたい時にも、挿し板１１を取り外して簡単に対応することができる。
【００３１】
図７は本発明の別の形態例を示すもので、本形態例のシャツ１の衿部構造は、衿羽根３の幅方向中間位置における裏面で該衿羽根３の外縁部から折り返し部４付近まで延びて開口するポケット１９（第三のポケット）と、衿腰８の背面で前記衿羽根３を立てた状態にて前記ポケット１９に対し一直線上に対峙するように延びて前記衿羽根３の折り返し部４付近で開口するポケット２０（第四のポケット）と、破壊せずに塑性変形を持続し得る塑性変形能を有し且つ前記ポケット１９及び前記ポケット２０に端部を夫々抜脱自在に挿し入れて衿羽根３の幅方向中間位置から衿腰８へ亘る挿し板２１（第二の挿し板）とを追加装備したものであり、このようにすれば、図８に示す如く衿羽根３の幅方向中間位置だけを立てて衿先２を寝かせたスタイル（後衿を立てたスタイル）を美観良く形づくり且つ持続させることが可能となる。
【００３２】
尚、このような後衿を立てたスタイルは、特に女性のシャツ１の着こなしのバリエーションとして良く知られているものであるが、後衿が立つことによりポケット１９及びポケット２０が隠れなくなるので、例えば、ステッチＦ，Ｇ，Ｆ’，Ｇ’により極力目立たないようにポケット１９及びポケット２０を縫製し、しかも、これらポケット１９及びポケット２０に対し挿し板２１の端部を夫々挿し入れるための挿入口２２，２３を互いに近接させて衿羽根３の折り返し部４付近に開口することで挿し板２１を目立たないようにしておくと良い。
【００３３】
また、このような挿し板２１の場合においても、その端部をポケット１９及びポケット２０から抜き出すことにより簡単に取り外すことが可能であるため、洗濯やアイロンがけを行う際に、挿し板２１を取り外して衿先２を柔軟な状態に戻してから行うことが可能であり、更には、シャツ１の衿先２を柔軟な状態に戻してラフな着こなしを楽しみたい時にも、挿し板２１を取り外して簡単に対応することが可能である。
【００３４】
尚、本発明のシャツの衿部構造は、上述の形態例にのみ限定されるものではなく、本発明の要旨を逸脱しない範囲内において種々変更を加え得ることは勿論である。
【符号の説明】
【００３５】
１  シャツ
２  衿先
３  衿羽根
４  折り返し部
８  衿腰
９  ポケット（第一のポケット）
１０  ポケット（第二のポケット）
１１  挿し板（第一の挿し板）
１５  挿入口
１６  挿入口
１８  挿入口
１９  ポケット（第三のポケット）
２０  ポケット（第四のポケット）
２１  挿し板（第二の挿し板）
２２  挿入口
２３  挿入口
【図１】
2015030956.tif 000003
【図２】
2015030956.tif 000004
【図３】
2015030956.tif 000005
【図４】
2015030956.tif 000006
【図５】
2015030956.tif 000007
【図６】
2015030956.tif 000008
【図７】
2015030956.tif 000009
【図８】
2015030956.tif 000010
【図９】
2015030956.tif 000011
【図１０】
2015030956.tif 000012